(57)【要約】      （修正有）【課題】荷物の梱包・解包作業においてカッター及びハサミは必需品である。安全性については、誤って刃先が人体に触れ、刃先が引かれる事が重大事故である。また、操作性・利便性及び管理については、ハサミ機能がカッターに備わる事で管理が簡素化され作業性の向上に繋がる。【解決手段】刃先が人体等に触れた場合と、刃先がＦｒｅｅな場合に筐体に格納される。刃先が引かれた場合、刃先連結装置４により刃先が離脱する。以上、刃先が引かれる事で生じる重大な事故は防ぐ事が可能となる。操作性・利便性については、カッターにハサミ機能（従機能）が組み入れられる事で、道具の管理が簡素化され、作業性の向上に繋がる。【選択図】図１
0003235493.tif 000002
【実用新案登録請求の範囲】
【請求項１】
カッターの刃先が誤って人体等に触れそして刃先が引かれた場合，刃先の筐体（カッター本体）への格納または，刃先連結装置による刃先の離脱等一連の安全性機能の改良。
【請求項２】
ハサミ機能が（従）である事から，ハサミをカッターの筐体に組込む考案．［ハサミ機能の一体化］
考案のポイントは以下の通りである．
ｉ）ハサミ構造を如何にカッターの筐体に収める為の形状の考案．
ｉｉ）ハサミで必要な握操作（切断操作）を，良好に操作する為の握柄及びフックの考      案．
【考案の詳細な説明】
【技術分野】
【０００１】  本考案は，カッターに於ける従来の操作性を損なわず安全性を確保するとともに，作業性向上の為，ハサミ機能を一体化するものである．
【背景技術】
【０００２】  市販のセーフティカッターは，フォルダー（刃先の操作・固定装置）により刃先を対象物に充て（その摩擦で刃先が固定される），そこから刃先が引かれカットされる．カット終了後（刃先が対象物から離れ，刃先の移動がＦｒｅｅとなる），カッター筐体後部のスプリングにより筐体に刃先が格納される構造である．【０００３】  但し，複雑な刃先のコントロールを必要する場合，フォルダーによる刃先の固定・開放が繰り返され（その都度刃先が格納される），操作性が著しく煩雑となる．【０００４】  また，ハサミ機能については，配送業における梱包・解包作業には，カッター及びハサミが必需品である．頻度は，（主）カッター機能，（従）ハサミ機能である．そこで，ハサミをカッターの筐体に組込む考案である．
【先行文献】
【非特許文献】
【０００５】
【非特許文献１】「オレンジブック製品カタログ（Ｗｅｂ）２０２０年Ｐ．１７２  ＯＬＦＡ（株）
【考案の概要】
【考案が解決しようとする課題】
【０００６】  市販のセーフティカッターでは，複雑な刃先のコントロールを必要とする場合，操作性からフォルダーを固定した状態で作業する傾向にある．同状態で誤って人体等に触れた場合，刃先が筐体に格納されず，対象物をカットする状態と同様となり，安全装置が働かず大きな事故につながる危険性がある．【０００７】  また，ハサミ機能一体化では，ハサミ機能が（従）である事から，ハサミをカッターの筐体に組込めれば，作業性の向上が期待できる．
【課題を解決するための手段】
【０００８】  刃先が誤って人体等に触れた場合以下のよう対処され，安全性の向上が図られる．【０００９】  ［常態］フォルダーが解放され刃先の移動がＦｒｅｅな場合：刃先には基本的に押込力が働く為，筐体に押込まれて安全となる．【００１０】  ［異常時］フォルダーが押込れ人体等に触れ，その後開放され刃先が引かれる場合：刃先が移動限界を超えた場合，刃先の引抜き力に対し刃先連結装置により刃先が離脱する．（離脱力については，刃先離脱調整ねじで調整）【００１１】  ハサミ機能一体化については，ハサミ機能が（従）であることから，その機能を極力限定小型化し，作業性からカッター筐体に収めた．
【考案の効果】
【００１２】  市販のセーフィティカッターと比較し，刃先が人体等に触れ，刃先が引かれた場合でも，刃先の離脱という安全装置が働き，重大な事故を防ぐ事が可能となる．但し，フォルダーが押込まれた状態で刃先が引かれれば，市販のセーフティカッターと同様，物体をカットする行為となる為安全装置は働かない．【００１３】  また，ハサミ機能一体化については，一体化したことにより，作業性の向上と道具の管理上の簡素化が可能．
【図面の簡単な説明】
【００１４】
【図１】フォルダー部改良詳細図（刃先離脱を含む）
【図２】ハサミ機能一体化詳細図
【考案を実施するための形態】
【００１５】  刃先の移動はフォルダーガイドスプリングで半固定（刃先が自重落下しない程度の摩擦を有する）の状態で行われる．フォルダーを押込む事で，歯条レールと歯条ストパーがかみ合い刃先が固定される．フォルダーを開放すれば，刃の位置は変わらず半固定の状態に戻る．以上の状態より，刃先が人体等に触れた場合，フォルダーが解放されている場合刃先は筐体内に格納され，また，刃先が引かれた場合，引抜き力に対し刃先連結装置により刃先が離脱する．
【００１６】  ハサミ機能一体化に於いては，上下刃握柄のフックに指を掛け，握り柄を操作し切断操作を行う．
【実施例】
【００１７】  図面１，図面２，［００１５］，［００１６］参照
【産業上の利用可能性】
【００１８】  安全性については，労働安全衛生法により，事業者は使用者に安全な環境を実現する義務を負い，また，ハサミ機能一体化による利便性，道具の管理上の簡素化は必要である．
【符号の説明】
【００１９】図面１
▲１▼  フォルダー
▲２▼  歯条レール
▲３▼  歯条ストッパー
▲４▼  刃先連結装置
▲５▼  刃先離脱調整ねじ
▲６▼  押込時離脱固定スペーサ
▲７▼  フォルダーガイドスプリング
▲８▼  刃先離脱
図面２
▲１▼  ハサミ部
▲２▼  下刃握柄
▲３▼  下刃握柄フック
▲４▼  上刃握柄フック
【図１】
0003235493.tif 000003
【図２】
0003235493.tif 000004
【手続補正書】
【提出日】令和3年5月17日(2021.5.17)
【手続補正１】
【補正対象書類名】実用新案登録請求の範囲
【補正対象項目名】全文
【補正方法】変更
【補正の内容】
【実用新案登録請求の範囲】
【請求項１】
カッターの刃先が誤って人体等に触れ引かれた場合，刃先連結装置（刃先固定版，押し込み時離脱固定スペーサ，刃先連結板，刃先離脱調整ねじ）の刃先離脱によるカッター安全機能の改良．
【請求項２】
ハサミ機能一体化に於ける，ハサミ下刃握柄のカッター筐体内への格納構造及び同握柄の操作に必要となる親指フック（下刃握柄）及び中指フック（上刃握柄）から成る構造．
【手続補正書】
【提出日】令和3年9月14日(2021.9.14)
【手続補正１】
【補正対象書類名】実用新案登録請求の範囲
【補正対象項目名】全文
【補正方法】変更
【補正の内容】
【実用新案登録請求の範囲】
【請求項１】
刃先連結装置は、刃先固定版、刃先連結板及び刃先離脱調整ねじから構成される。刃先連結板（替刃を固定）は、刃先固定版に挟み込まれ双方の凸凹突起（半円筒状）により固定される形態とした。固定強度（離脱力）は、刃先固定版凹側部材の剛性により一義的に決定される。刃先離脱調整ねじは、ねじの押込みにより双方の凸凹突起（半円筒状）の噛み合わせ程度を調整し、その固定強度（離脱力）の調整が可能とする形態とした。以上、刃先連結装置による、刃先の離脱が可能となる安全機能を特徴とするカッター。
【請求項２】
同装置はハサミ下刃握柄側形状、握柄及びフックから成る。ハサミ下刃は握柄側をクランク形状とし握柄を接続した。その構造により、本体カッター替刃固定構造との緩衝が避けられ、握柄の筐体内へ格納を可能とした。握柄にはフック（半円弧状・親指用）を設け握柄の操作機能を確保するとともに、フックは格納時筐体より僅かにはみでる突起を有する形状とし、フック及び握柄の引出しをスムーズに行える構造とした。また、同操作補助の為、フック（中指用）を同様の形状でカッター本体部に設け、さらに筐体内に格納する形態とした。以上一連の構造による、ハサミの握柄及びフックの筐体への格納を特徴とするハサミ機能一体化カッター。